(57)【要約】【課題】容器本体に蓋が嵌合する容器、又はこのような容器に外装が被着され二重に包装された容器を、ノッチ付き開封帯を利用することにより、強い力が必要なく、簡単に開封可能な容器を実現する。【解決手段】容器１は、蓋３が容器本体２に接着剤、融着又は嵌合により取り付けられて成り、さらに樹脂フィルムで形成された外装２０が覆われて被着され、外装２０には開封帯４が巻き付けられ接着又は融着されており、開封帯４は、開封部６を有し、開封部６にはノッチ７及び剥がし用摘み８を有し、外装２０に接着又は融着される開封帯４は、容器本体２を蓋３で閉じた状態で、容器本体２と蓋３をともにその外周囲、又は容器本体のみの外周に巻き付けられ、ノッチ７は、ミシン目、スリット又は開封帯４の端部の突き合わせ部の隙間１３である。【選択図】図３
0003134044.tif 000002
【実用新案登録請求の範囲】
【請求項１】
蓋と容器本体を備え、蓋は容器本体に糊付け、融着又は嵌合により取り付けられて成る容器であって、
前記蓋と容器本体は、開封帯が巻き付けられて封止されており、
前記開封帯は、開封部を有し、該開封部はノッチ及び剥がし用摘みを有することを特徴とする容器。
【請求項２】
蓋と容器本体を備え、蓋は容器本体に糊付け、融着又は嵌合により取り付けられて成り、さらに樹脂フィルムで形成された外装で覆われて成る容器であって、
前記外装には開封帯が巻き付けられ接着又は融着されており、
前記開封帯は、開封部を有し、該開封部はノッチ及び剥がし用摘みを有することを特徴とする容器。
【請求項３】
前記外装に接着又は融着される開封帯は、蓋と容器本体を合わせた状態で蓋の上面及び容器本体の底面を含む外周囲又は容器本体の外周に巻き付けられることを特徴とする請求項１記載の容器
【請求項４】
前記ノッチは、ミシン目、スリット、薄肉状の細溝、又は開封帯の端部の突き合わせ部の隙間であることを特徴とする請求項１、２又は３記載の容器。
【請求項５】
前記剥がし用摘みは、開封帯の延長端部、又は開封帯の外面に接着若しくは融着されている片であることを特徴とする請求項１、２、３又は４記載の容器。
【請求項６】
前記剥がし用摘みは、先端に折り返し部が形成されていることを特徴とする請求項１、２、３、４又は５記載の容器。
【考案の詳細な説明】
【技術分野】
【０００１】
本考案は、弁当、即席麺等に使用される容器であって、容器に直に又は外装を介してノッチ付き開封帯で封止された容器に関する。
【背景技術】
【０００２】
デパート地下食品店、スーパーマーケット、コンビニエンスストア等の量販店で販売されている弁当容器、即席ラーメン、菓子等の容器は、プラスチック製、紙製、紙とプラスチックのハイブリッドタイプ、ポリプロ製等がある。
【０００３】
蓋と容器本体で合わせて密閉する容器の場合は、図６（ａ）に示すように、蓋３０を容器本体３１に被せた容器３２があるが、蓋３０を容器本体３１に密着して被せても開きやすいので、輪ゴムや紐掛けが必要である。蓋が開きにくいように、近年は、容器本体に蓋を嵌合固定する包装容器が多い（特許文献１参照）。図６（ｂ）は、蓋３３や容器本体３４を変形させて嵌合させる容器３５の一例を示す。
【０００４】
さらに、カップ麺容器（即席ラーメンの容器）等では、蓋と容器本体によるシールは接着剤による接着又は熱融着により密閉する構造であり、さらにその外側から樹脂フィルム材で形成された外装で覆い、加熱してシュリンク包装で密閉する二重構造となっている（特許文献２、３参照）。
【特許文献１】特開平１１−５９７１２号公報
【特許文献２】特開２００１−１０６６３号公報
【特許文献３】実開平５−１０２７１号公報
【考案の開示】
【考案が解決しようとする課題】
【０００５】
上記図６（ｂ）に示す従来例のように、容器本体に弾力的に嵌合された容器の蓋を開けるとき、強い力で蓋を変形しなければならない。特に非力な人たち、例えば、女性、老人、子供等には、その開閉が困難な場合が多かった。
【０００６】
そして、カップ麺容器等、樹脂フィルムの外装で二重に包装されている容器の場合は、その外装を外すときに、シュリンク包装において熱融着されており、その剥がし口がなく、強い力で引っ張らなくてはならず、非力な人たちには開封が困難な場合が多かった。
【０００７】
また、無理に引っ張って、容器本体まで破るようなことがあり、無駄な労カを必要としていた。特に、非力な人たちや時間がなくて急いでいるビジネスマンなどは、開封の際に中身を周囲に散乱させ、無駄にするようなこともあった。
【０００８】
本考案は、上記のように容器本体に蓋が嵌合する容器、又はこのような容器に外装が被着され二重に包装された容器を、ノッチ付き開封帯を利用することにより、強い力が必要なく、簡単に開封可能な容器を実現することを課題とする。
【課題を解決するための手段】
【０００９】
本考案は上記課題を解決するために、蓋と容器本体を備え、蓋は容器本体に糊付け、融着又は嵌合により取り付けられて成る容器であって、前記蓋と容器本体は、開封帯が巻き付けられて封止されており、前記開封帯は、開封部を有し、該開封部はノッチ及び剥がし用摘みを有することを特徴とする容器を提供する。
【００１０】
本考案は上記課題を解決するために、蓋と容器本体を備え、蓋は容器本体に糊付け、融着又は嵌合により取り付けられて成り、さらに樹脂フィルムで形成された外装で覆われて成る容器であって、前記外装は開封帯が巻き付けられ接着又は融着されており、前記開封帯は、開封部を有し、該開封部にはノッチ及び剥がし用摘みを有することを特徴とする容器を提供する。
【００１１】
前記外装に接着又は融着される開封帯は、蓋と容器本体を合わせた状態で蓋の上面及び容器本体の底面を含む外囲周又は容器本体の外周に巻き付けられる構成としてもよい。
【００１２】
前記ノッチは、ミシン目、スリット、薄肉状の細溝、又は開封帯の端部の突き合わせ部の隙間である構成とすることが好ましい。
【００１３】
前記剥がし用摘みは、開封帯の延長端部、又は開封帯の外面に接着若しくは融着されている片である構成とすることが好ましい。
【００１４】
前記剥がし用摘みは、先端に折り返し部が形成されている構成とすることが好ましい。
【考案の効果】
【００１５】
本考案によれば、容器本体に蓋が嵌合された容器の場合は、開封帯を引っ張ることで開封帯を破断し、蓋が簡単に開ける状態となる。また、外装を被着した容器の場合は、開封帯を引っ張ることで、開封帯を破断するとともに外装も破断することができる。
【００１６】
従って、非力な人にも簡単に容器を開封することができ、また、非力な人や急いでいるビジネスマンなどにも、容器を破損したり、内容物を散乱することなく、簡単に容器を開封することが可能となる。
【考案を実施するための最良の形態】
【００１７】
本考案に係る容器を実施するための最良の形態を実施例に基づいて図面を参照して説明する。
【実施例１】
【００１８】
図１、２は本考案の実施例１を説明する図である。この容器１は、図１（ａ）に示すように、容器本体２及び蓋３とから成り、蓋３は容器本体２に、例えば、接着剤、熱融着、又は嵌合等の手段により取り付けられている。
【００１９】
この容器１１は、例えば、樹脂、紙、木等いずれか、又はそれら材料のいずれかを組み合わせて形成されている。そして、容器１の用途は、スーパーマーケット、コンビニエンスストア、各種食品店等で販売されている弁当箱、惣菜、菓子等の各種食品、その他の物品の包装容器１である。
【００２０】
本考案の容器１の特徴は、容器本体２に蓋３を閉じた状態で外側から、容器本体２と蓋３をともに締め付けるように、ノッチ付きの開封帯４を巻き付けて取り付け封止した構成である。開封帯４は、ナイロンポリエチレンラミネート（ナイロンにポリエチレンをラミネートした多層フィルムをいい、通称、ナイロンポリと略して呼んでいるもの）、ポリエチレンフィルム、ポリプロピレンフィルム、ポリエステルフィルム、ポリビニルアルコール（通称、ＰＶＡ）フィルム、酢酸ビニル共重合体（通称、ＥＶＡ）フィルム、ナイロンフィルム、セロファン等の樹脂フィルムで構成されている。
【００２１】
図１（ａ）に示す容器１は、幅狭の開封帯４を巻き付けて取り付け封止した構成であり、図１（ｂ）に示す容器５は、幅広の開封帯４を巻き付けて取り付け封止した構成であり、開封帯４を幅広とした構成以外では容器１と異ならない。従って、容器１について、以下説明する。
【００２２】
容器１に巻き付けた開封帯４を開封する部分を、本考案では開封部６と言うが、この開封部６には、ノッチ７（切り欠き）と剥がし用摘み８が形成されている。剥がし用摘み８は、封止された開封帯４を破断する際に、開封帯４を剥がすための指で把持する片である。ノッチ７の構成についていろいろな態様を、図１（ｃ）〜（ｅ）において説明する。
【００２３】
図１（ｃ）は、ノッチ７をミシン目９とした構成である。図１（ｄ）は、ノッチ７をスリット１０（プレカットのスリット）とした構成である。このスリット１０は、薄肉状の細溝１１（左下の要部断面図参照）であってもよいし、完全に切れ込まれた細溝１２（右下の要部断面図参照）でもよい。図１（ｅ）は、ノッチ７は、開封帯４の一端と他端部の隙間１３がノッチ７として機能する構成である。
【００２４】
開封部６の構成は、いろいろな実施の態様が考えられるが、これらの開封部６の構成を図２（ａ）〜（ｅ）において説明する。図２（ａ）〜（ｅ）は、いずれも、容器本体２に蓋３を閉じた状態のものにおいて、開封帯４を巻き付けて取り付けた状態における、開封部６の蓋３及び開封帯４等の断面図を示す。図２（ａ）〜（ｅ）のいずれも、蓋３に外側から開封帯４を巻き付けて取り付けているが、剥がし用摘み８の取り付け構造等において、若干異なる。
【００２５】
図２（ａ）に示すものは、開封帯４に、ノッチ７を外側から覆うように、別体から成る着色された剥がし用摘み８が、熱融着又は接着剤で取り付けられている構成である。
【００２６】
図２（ｂ）に示すものは、開封帯４の一端部１４の上に他端部１５が熱融着や接着剤で接着されており、開封帯４の他端部１５の延長部が、開封帯４の一端部側の部分から外側に反れて浮いて、その部分が着色されて剥がし用摘み８として形成された構成である。この構成では、開封帯４の一端部１４と他端部１５の隙間１３があり、この隙間１３がノッチ７として機能する。
【００２７】
図２（ｃ）に示すものは、開封帯４の一端部１４の上に他端部１５が熱融着や接着剤で接着されており、開封帯４の他端部１５の外面に着色された剥がし用摘み８が熱融着又は接着剤で取り付けられている構成である。この構成でも、図２（ｂ）と同様に、開封帯４の一端部１４と他端部１５の隙間１３がノッチ７として機能する。
【００２８】
図２（ｄ）に示すものは、開封帯４の一端部１４の上に他端部１５が熱融着や接着剤で接着されており、剥がし用摘み８は、開封帯４の他端部１５の延長部が内側に折り返されて摘み部１６が形成された構成である。この構成でも、図２（ｂ）、（ｃ）と同様に、開封帯４の一端部１４と他端部１５の隙間１３がノッチ７として機能する。剥がし用摘み８を外側に起こせば、摘むことが可能となる。
【００２９】
図２（ｅ）に示すものは、開封帯４には、ノッチ７を外側から覆うように、別体から成る剥がし用摘み８が、熱融着又は接着剤で取り付けられており、その先端が折り返されて摘み部１６が形成されている構成である。摘み部１６を外側に起こせば、摘むことが可能となる。
【００３０】
（作用）
以上の構成から成る本考案の容器１の作用を説明する。開封帯４によりしっかりと密封された容器１を開く時には、図２（ａ）〜（ｅ）に示す剥がし用摘み８を、力を入れて外側に引っ張る。すると、図２（ａ）、（ｅ）に示すものでは、ノッチ７から開封帯４が破断されるので、開封可能である。
【００３１】
また、図２（ｂ）〜（ｄ）に示すものでは、剥がし用摘み８を力を入れて外側に引っ張ると、開封帯４の他端部１５が一端部１４から剥がれる。そして、予め、開封帯４の一端部１４と他端部１５の間には隙間１３が形成されているので、開封帯４の他端が一端部１４から剥がれることで、開封帯４が破断された状態となり、開封されることとなる。
【実施例２】
【００３２】
図３は本考案の実施例２を説明する図である。この実施例２の容器１は、その容器自体の構成は実施例１の容器１と同じ構成であり、容器本体２と蓋３とから成る。しかし、実施例１のように、開封帯４を直に容器１の面に巻き付けて取り付けたのではなく、図３（ａ）に示すように、開封帯４を、外装２０を介して容器１に巻き付け取り付けて封止した構成を特徴とするものである。
【００３３】
外装２０は、樹脂フィルム等で形成されており、容器１全体を覆うように外側から被着され、容器を密封するように包装するのである。開封帯４は、外装２０に熱融着する場合は、ナイロンポリ、ポリエチレン、ポリオレフィンナイロン等の樹脂材料で形成し、接着剤で接着する場合は、ポリエステルやセロファン系の材料で形成する。
【００３４】
開封帯４の開封部６におけるノッチ７及び剥がし用摘み８の構成は、図３（ｂ）〜（ｆ）に示すように、図２（ａ）〜（ｅ）に示す実施例１に較べて容器１の蓋３の表面に外装２０を被着し、その外面から開封帯４が巻き付けられている構成が異なる。しかし、それ以外の構成は、実施例１とほぼ同じであるので、詳細な説明は省略する。
【００３５】
この実施例２では、開封帯４を外装２０の外面に熱融着又は接着剤で接着した構成であるから、剥がし用摘み８を引っ張って開封帯を破断すると、外装２０も同時に引っ張られて破断するので、外装２０の開封に手間がかからない。
【実施例３】
【００３６】
図４は、本考案の実施例３を説明する図である。この実施例３の容器２１、２２、２３は、例えば、即席麺、菓子等の容器等に関するものであり、蓋２４は容器本体２５に必ずしも嵌合したものでなくても、接着剤や熱融着で接着したものでもよい。
【００３７】
実施例３の容器２１、２２、２３は、容器本体２５の開口を蓋２４で閉じ、実施例２と同様に、樹脂フィルム等の外装２０を加熱してシュリンクして被着し密閉される。さらに、外装２０の外面から開封帯４を巻き付けて接着し取り付けて、封止される。しかし、この実施例３では、実施例２のように蓋３と容器本体２をともに開封帯４で巻き付けたものではなく、容器本体２５の開口縁のすぐ下の部分（容器の上端の部分）の外周囲に開封帯４を巻き付けて接着した構成であり、その点で実施例２とは異なる。
【００３８】
図４（ａ）〜（ｃ）に示す例では、容器２１、２２、２３の上端近くにおいて、外装２０の外周囲に開封帯４を巻き付け熱融着又は接着剤で接着して取り付けたものである。実施例３の開封帯４及び外装２０の材料は、実施例２の開封帯４及び外装２０の材料と同じである。
【００３９】
この実施例３の開封帯４の開封部５におけるノッチ７及び剥がし用摘み８の構成は、実施例２とほぼ同じであり、容器の外側に被せられた外装２０に開封帯４が接着される。図４（ａ）、（ｂ）に示すものについて、その開封帯４の開封部６における構成について、図５（ａ）〜（ｅ）に断面図を示し、図４（ｃ）に示すものについて、その開封帯４の開封部６における構成について、図５（ｆ）〜（ｊ）に断面図を示す。
【００４０】
（作用）
以上の構成から成る実施例３の容器２１、２２、２３を開封する場合は、剥がし用摘み８を外側に引っ張って開封帯４を破断すると、外装２０も同時に引っ張られて破断される。従って、実施例２と同様に、外装２０の開封に手間がかからない。
【００４１】
以上、本考案に係る容器の最良の形態を実施例に基づいて説明したが、本考案は特にこのような実施例に限定されることなく、実用新案登録請求の範囲記載の技術的事項の範囲内でいろいろな実施例があることはいうまでもない。
【産業上の利用可能性】
【００４２】
本考案に係る容器は、店頭で販売される弁当箱、即席麺、菓子等の食品の容器だけでなく、薬品、その他各種の物品の容器にも適用可能である。
【図面の簡単な説明】
【００４３】
【図１】（ａ）、（ｂ）は、本考案の実施例１の容器の斜視図あり、（ｃ）〜（ｅ）は、開封帯のノッチのいろいろな態様を説明する平面図と断面図（（ｄ）、（ｅ）のみ）である。
【図２】（ａ）〜（ｅ）は、実施例１の容器の開封帯の開封部の構造を示す断面図である。
【図３】本考案の実施例２の容器を説明する図であり、（ａ）は容器の斜視図であり、（ｂ）〜（ｆ）は、実施例２の容器の開封帯の開封部の構造を示す断面図である。
【図４】（ａ）〜（ｃ）は、本考案の実施例３の容器を説明する斜視図である。
【図５】（ａ）〜（ｅ）及び（ｆ）〜（ｊ）は、それぞれ実施例３の容器の開封帯の開封部の構造を示す断面図である。
【図６】従来例を示す図である。
【符号の説明】
【００４４】
１、５  容器                           
２  容器本体                           
３  蓋                                 
４  開封帯                             
６  開封部                             
７  ノッチ                             
８  剥がし用摘み                       
９  ミシン目                           
１０  スリット                         
１１  薄肉状の細溝                     
１２  切れ込まれた細溝                 
１３  隙間                             
１４  開封帯の一端部                   
１５  開封帯の他端部                   
１６  摘み部                           
２０  外装                             
２１、２２、２３、３２、３５  容器                 
２４、３０、３３  蓋                               
２５、３１、３４  容器本体                         
【図１】
0003134044.tif 000003
【図２】
0003134044.tif 000004
【図３】
0003134044.tif 000005
【図４】
0003134044.tif 000006
【図５】
0003134044.tif 000007
【図６】
0003134044.tif 000008